(57)【要約】【課題】  本発明は建設現場近くに設置したコンクリートプラントへ効率よく砂利を運搬できるようにして、建設現場近くに砂利の保管場所を確保できるような大きな敷地がなくても、効率よく生コンクリートを製造することができる砂利運搬車を得るにある。【解決手段】  砂利を運搬することができるトラックと、このトラックの荷台に固定的あるいは上下移動可能に設けられた後部壁の下部に排出口が形成され、底面に開口が形成された砂利を収納することができる砂利収納容器と、この砂利収納容器内の砂利を現場近くに設けられたコンクリートプラントの砂利受入れホッパーへ供給する、該砂利収納容器の底面の開口を覆うように排出側が上方に位置するように傾斜状態あるいは水平状態で取付けられたベルトコンベアーとで砂利運搬車を構成している。【選択図】  図１
2010184373.tif 000002
【特許請求の範囲】
【請求項１】
砂利を運搬することができるトラックと、このトラックの荷台に固定的あるいは上下移動可能に設けられた後部壁の下部に排出口が形成され、底面に開口が形成された砂利を収納することができる砂利収納容器と、この砂利収納容器内の砂利を現場近くに設けられたコンクリートプラントの砂利受入れホッパーへ供給する、該砂利収納容器の底面の開口を覆うように排出側が上方に位置するように傾斜状態あるいは水平状態で取付けられたベルトコンベアーとからなる砂利運搬車。
【請求項２】
砂利収納容器の下部は、両側壁が順次小さな幅寸法となる傾斜面で、前後方向に長い長孔状の開口部および、該開口部の排出側である後部壁の下部に排出孔が形成されており、該排出孔を除く前記長孔状の開口部をベルトコンベアーの回転可能なベルトが覆っていることを特徴とする請求項１記載の砂利運搬車。
【発明の詳細な説明】
【技術分野】
【０００１】
本発明は砂利置き場から移動設置可能なコンクリートプラントの砂利受入れホッパーへ砂利を効率よく移送することができる砂利運搬車に関する。
【背景技術】
【０００２】
従来、トンネルやダムを建設する場合、トンネルやダムの建設現場近傍にコンクリートプラントを設置し、このコンクリートプラントで製造した生コンクリートを建設現場へ運んで使用している。
【０００３】
しかしながら、コンクリートプラントには使用する砂利の保管場所が必要となり、大きな敷地が必要となり、コンクリートプラントの設置場所と建設現場を近い場所に設置するのが難しいという欠点があった。
【先行技術文献】
【特許文献】
【０００４】
【特許文献１】特になし
【発明の概要】
【発明が解決しようとする課題】
【０００５】
本発明は以上のような従来の欠点に鑑み、建設現場近くに設置したコンクリートプラントへ効率よく砂利を運搬できるようにして、建設現場近くに砂利の保管場所を確保できるような大きな敷地がなくても、効率よく生コンクリートを製造することができる砂利運搬車を提供することを目的としている。
【０００６】
本発明の前記ならびにその他の目的と新規な特徴は次の説明を添付図面と照らし合わせて、より完全に明らかになるであろう。
ただし、図面はもっぱら解説のためのものであって、本発明の技術的範囲を限定するものではない。
【課題を解決するための手段】
【０００７】
上記目的を達成するために、本発明は砂利を運搬することができるトラックと、このトラックの荷台に固定的あるいは上下移動可能に設けられた後部壁の下部に排出口が形成され、底面に開口が形成された砂利を収納することができる砂利収納容器と、この砂利収納容器内の砂利を現場近くに設けられたコンクリートプラントの砂利受入れホッパーへ供給する、該砂利収納容器の底面の開口を覆うように排出側が上方に位置するように傾斜状態あるいは水平状態で取付けられたベルトコンベアーとで砂利運搬車を構成している。
【発明の効果】
【０００８】
以上の説明から明らかなように、本発明にあっては次に列挙する効果が得られる。
【０００９】
（１）砂利を運搬することができるトラックと、このトラックの荷台に固定的あるいは上下移動可能に設けられた後部壁の下部に排出口が形成され、底面に開口が形成された砂利を収納することができる砂利収納容器と、この砂利収納容器内の砂利を現場近くに設けられたコンクリートプラントの砂利受入れホッパーへ供給する、該砂利収納容器の底面の開口を覆うように排出側が上方に位置するように傾斜状態あるいは水平状態で取付けられたベルトコンベアーとで構成されているので、建設現場近くに設置されたコンクリートプラントの砂利受入れホッパー内へ、ベルトコンベアーの駆動で砂利収納容器内の砂利を効率よく供給することができる。
したがって、砂利の保管場所がない所でも、現場近くにコンクリートプラントを設置することができる。
【００１０】
（２）前記（１）によって、トラックで砂利を運搬し、ベルトコンベアーの駆動で砂利受入れホッパー内へ供給するので、特殊な技能がなくても、誰でもが容易に作業することができる。
【００１１】
（３）前記（１）によって、ベルトコンベアーの排出側が上方に位置したり、砂利収納容器を上下移動可能にトラックの荷台に設けているので、コンクリートプラントの砂利受入れホッパー内へベルトコンベアーの駆動だけ、あるいは砂利収納容器を上方へ移動させるだけの簡単で短時間で行なうことができる操作で砂利を短時間に供給することができる。
【００１２】
（４）前記（１）により、砂利収納容器の底面の開口部を覆うようにベルトコンベアーを配置しているので、開口部の開閉扉を設けなくてもよく、安価に製造することができる。
【００１３】
（５）前記（１）によって、ベルトコンベアーを駆動させなければ、砂利収納容器内の砂利が排出口よりわずかに出た状態で、抵抗で止めることができるので、排出口に開閉扉が不要で、コストの低減を図ることができる。
また、ベルトコンベアーを傾斜状態で取付けることにより、運搬時に砂利収納容器内の砂利が不必要に外部へこぼれたりするのを効率よく防止できる。
【００１４】
（６）請求項２も前記（１）〜（５）と同様な効果が得られる。
【図面の簡単な説明】
【００１５】
【図１】本発明を実施するための第１の形態の使用状態の説明図。
【図２】本発明を実施するための第１の形態の側面図。
【図３】本発明を実施するための第１の形態の背面図。
【図４】本発明を実施するための第１の形態の平面図。
【図５】図４の５−５線に沿う断面図。
【図６】図４の６−６線に沿う断面図。
【図７】本発明を実施するための第２の形態の使用状態の説明図。
【図８】本発明を実施するための第２の形態の砂利を積み込む状態の説明図。
【図９】本発明を実施するための第２の形態の側面図。
【図１０】本発明を実施するための第２の形態の背面図。
【図１１】本発明を実施するための第３の形態の側面図。
【図１２】本発明を実施するための第３の形態の背面図。
【図１３】本発明を実施するための第３の形態の開閉扉の説明図。
【発明を実施するための形態】
【００１６】
以下、図面に示す本発明を実施するための形態により、本発明を詳細に説明する。
【００１７】
図１ないし図６に示す本発明を実施するための第１の形態において、１はトンネルやダム等の建設現場近傍に移動可能に設置できるコンクリートプラント２の砂利受入れホッパー３へ、離れた広い敷地に確保した砂利保管場所４より砂利５を運搬する本発明の砂利運搬車で、この砂利運搬車１は砂利を運搬することができるトラック６と、このトラック６の荷台７に固定的に取付けられた底面が前方より後方が高くなる底面の中央部が長孔状に開口部８を形成し、排出側の後部壁９の下部位置の該長孔状の開口部８と連通するように形成された排出口１０を有する砂利収納容器１１と、この砂利収納容器１１の長孔状の開口部８を覆うように、前記荷台７あるいは該収納容器１１に先端部が荷台７より外方へ突出するように取付けられたベルトコンベアー１２とで構成されている。
【００１８】
前記砂利収納容器１１は上部四角箱状で、下部の両側壁１１ａ、１１ａは下部方向が順次小さな幅寸法となる傾斜面１３、１３に形成されるとともに、前方も下部が後方に位置する傾斜面１４に形成されている。  
【００１９】
前記コンクリートプラント２はトラクター２０およびこのトラクター２０に牽引されるコンクリートミキサー２１、２１等の生コンクリートを製造する装置２２が設置された台車２３とからなる牽引自動車２４と、この牽引自動車２４の台車２３の後端部と接続できる牽引車で牽引される砂利受入れホッパー3やこの砂利受入れホッパー3内の砂利を前記生コンクリートを製造する装置２２へ供給するベルトコンベア２５などが設けられた接続台車２６とで構成されている。
【００２０】
上記構成の砂利運搬車１は砂利保管場所４で、砂利収納容器１１内にベルトコンベアーやブルドーザー等で砂利を５載積し、コンクリートプラント２の設置場所へ運搬し、ベルトコンベアー１２の先端部よりコンクリートプラント２の砂利受入れホッパー３内へ砂利を落下できるように位置させた後、ベルトコンベアー１２を駆動させることにより、砂利収納容器１１内の砂利５をベルトコンベアー１２のベルト１２ａの移動により、排出口１０より排出される量の砂利を砂利受入れホッパー３内へ順次投入することができる。
なお、ベルトコンベアー１２は排出側が高くなっているので、コンクリートプラント２の砂利受入れホッパー３の上部に位置するため、該部位にベルトコンベアー１２の排出側が位置するようにトラック６をバックさせるだけで最適な排出位置となり、楽に砂利５を砂利収納容器１１内より砂利受入れホッパー３内へ投入することができる。
[発明を実施するための異なる形態]
【００２１】
次に、図７ないし図１３に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２２】
図７ないし図１０に示す本発明を実施するための第２の形態において、前記本発明を実施するための第１の形態と主に異なる点は、底面の開口部8が水平面に形成された砂利収納容器１１Ａの四角部位に油圧シリンダー１５、１５、１５、１５を用いた上下移動可能な脚部材１６、１６、１６、１６を荷台7に取付けるとともに、前記砂利収納容器１１Ａの底面の開口部８を覆うベルトコンベアー１２を該砂利収納容器１１Ａに取付けた点で、このように構成した砂利運搬車１Ａにしても、砂利収納容器１１Ａを脚部材１６、１６、１６、１６を収縮させて砂利５を収納したり、運搬を行ない、コンクリートプラント２の砂利受入れホッパー３へ砂利を投入する場合には、脚部材１６、１６、１６、16を伸長させることにより、ベルトコンベアー１２の排出側が砂利受入れホッパー３の上部に位置して、前記第1の形態と同様に楽に砂利収納容器１１Ａ内の砂利５を、ベルトコンベアー１２を介して砂利受入れホッパー３内へ投入することができる。
【００２３】
図１１ないし図１３に示す本発明を実施するための第３の形態において、前記本発明を実施するための第２の形態と主に異なる点は、排出口１０に油圧シリンダー１７で開閉できる開閉扉１８を設けた点で、このように構成した砂利運搬車１Ｂにしても、同様な作用効果が得られるとともに、ベルトコンベアー１２の駆動時以外は排出口１０を開閉扉１８で閉じておくことにより、振動により排出口１０より砂利が漏れるのを確実に防止することができる。
なお、砂利収納容器１１、１１Ａを砂利の排出時に起振装置で振動させることにより、砂利収納容器１１、１１Ａ内に砂利を残すことなくスムーズに排出することができる。
【産業上の利用可能性】
【００２４】
本発明は砂利保管場所から建設現場近傍に設置されるコンクリートプラントへ砂利を効率よく運搬する砂利運搬車を製造する産業で利用される。
【符号の説明】
【００２５】
１、１Ａ、１Ｂ：砂利運搬車、  ２：コンクリートプラント、
３：砂利受入れホッパー、      ４：砂利保管場所、            
５：砂利、                    ６：トラック、
７：荷台、                    ８：開口部、
９：後部壁、                  １０：排出口、
１１：砂利収納容器、          １２：ベルトコンベアー、
１３：傾斜面、                １４：傾斜面、
１５：油圧シリンダー、        １６：脚部材、
１７：油圧シリンダー、        １８：開閉扉。
【図１】
2010184373.tif 000003
【図２】
2010184373.tif 000004
【図３】
2010184373.tif 000005
【図４】
2010184373.tif 000006
【図５】
2010184373.tif 000007
【図６】
2010184373.tif 000008
【図７】
2010184373.tif 000009
【図８】
2010184373.tif 000010
【図９】
2010184373.tif 000011
【図１０】
2010184373.tif 000012
【図１１】
2010184373.tif 000013
【図１２】
2010184373.tif 000014
【図１３】
2010184373.tif 000015